(57)【要約】【課題】  本発明は、配線コードの引き回しを容易にし、小型化を可能とするストロークセンサを提供することを目的とする。【解決手段】  磁石２を設けたシャフト３を被検出体側へと付勢する弾性部材４と、磁石２を含むシャフト３と弾性部材４とを収容する径大筒状部５および径小筒状部６とからなる第一ケース体７と、を備えた第一ユニットＵ１と、シャフト３の変位量に応じた電気信号を出力する磁気検出素子１１ａと、磁気検出素子１１ａを実装する回路基板１２と、回路基板１２から引き出された電気コード１３と、径小筒状部６が挿通される挿通部１４ａを有し、磁気検出素子１１ａと回路基板１２および電気コード１３の一部を収容する第二ケース体１４と、を備えた第二ユニットＵ２と、を備え、第一ユニットＵ１に対し第二ユニットＵ２を固定部材１６を介して固定保持してなることを特徴とするストロークセンサ。【選択図】  図６
2014149188.tif 000002
【特許請求の範囲】
【請求項１】
被検出体の移動に伴い移動するシャフトに設けた磁石の移動量を検出するストロークセンサにおいて、一端部側の端部に前記被検出体が接触し、他端側に前記磁石が配置された前記シャフトと、前記シャフトの長手方向に沿い前記シャフトを前記被検出体側へと付勢する弾性部材と、前記シャフトの一端部側と前記弾性部材とを収容する径大筒状部および前記磁石を含む前記シャフトの他端部を軸支する径小筒状部とからなる第一ケース体と、前記シャフトと前記弾性部材と前記第一ケース体と、を少なくとも備えた第一ユニットと、前記磁石の磁界を検出し前記シャフトの変位量に応じた電気信号を出力する磁気検出素子と、前記磁気検出素子を実装する回路基板と、前記電気信号を外部へと伝達する前記回路基板から引き出された電気コードと、前記径小筒状部が挿通される挿通部を有し、前記磁気検出素子と前記回路基板および前記電気コードの一部を収容する第二ケース体と、前記磁気検出素子と前記回路基板と前記電気コードと前記第二ケース体と、を少なくとも備えた第二ユニットと、を備え、前記第一ケース体の前記径小筒状部に前記第二ケース体の前記挿通部を挿通して所定箇所に組み込んだ後、前記径小筒状部の突出部分に固定部材を介して締結保持し、前記第一ユニットに対し前記第二ユニットを固定保持してなることを特徴とするストロークセンサ。
【請求項２】
前記第一、第二ケース体に前記第一ユニットに対する前記第二ユニットの配設位置を定める第一、第二位置決め部を設けたことを特徴とする請求項１に記載のストロークセンサ。
【請求項３】
前記第一ケース体に設けられた前記径小筒状部の突出部分の外周面に螺子部を設け、前記螺子部に螺着される前記固定部材を締結ナットにより形成してなることを特徴とする請求項１に記載のストロークセンサ。
【請求項４】
前記ストロークセンサを取付部材に固定保持するに際し、前記第一ケース体の径大筒状部には、前記取付部材に設けた雌ねじ部からなる螺着部に螺着する雄ねじ部を設けるとともに、前記雄ねじ部位置より前記第二ケース体側に前記雄ねじ部の外径より径大な固定用ボルト部からなる締結用固定部を設けてなることを特徴とする請求項１に記載のストロークセンサ。
【発明の詳細な説明】
【技術分野】
【０００１】
本発明は、被検出体の移動量を検出するストロークセンサに関する。
【背景技術】
【０００２】
従来のストロークセンサは、例えば、特許文献１に開示されるものがある。このストロークセンサは、例えば、特許文献１に開示されるものがある。このストロークセンサは、摺動孔を有した第１のケースと、第１のケースに結合することにより、互いの間に油を充填した油室を構成する第２のケースと、第１のケースに形成した油室を外部に連通させる連通通路と、先端部が外部に露出する状態で第１のケースの摺動孔に進退可能に嵌合し、かつ油室の内部に摺動孔よりも大径となるフランジを収容したシャフトと、油室に配設し、シャフトの先端部を第１のケースから常時突出する方向に押圧する押圧バネと、第２のケースの外部においてシャフトの変位量に応じた電気信号を出力するホール素子を実装した回路基板および外部へと引き回し形成するためのリード線（配線コード）を封止するカバー部材と、を備えたものである。
【先行技術文献】
【特許文献】
【０００３】
【特許文献１】特開２０１０−２１０４９３号公報
【発明の概要】
【発明が解決しようとする課題】
【０００４】
しかしながら、特許文献１に記載のストロークセンサは、そのストロークセンサを取り付けるためにカバー部材に設けられた二つのボルト挿通孔を介してボルトをケーシング（取付部材）に締結することによって固定保持するようにしている。このため、ストロークセンサから得られた電気信号はリード線（配線コード）を介して外部へと伝達することができるようにしているが、リード線（配線コード）の引き回し方向としては横方向に引き回し配設する方向が一方向に設定されているため、任意の方向に取り付けるように構成するためには、カバー部材の外径部分である取り付け箇所を大きくし、そのカバー部材に複数個の孔を設け、リード線の向きが所定の方向に引き出せるようにセットした後にボルトを所定のボルト挿通孔に締結するようにしなければならず、ストロークセンサ自体の大きさが大型化してしまうという問題がある。
【０００５】
そこで本発明は、前記問題点を解消し、配線コードの引き回しを容易にし、小型化を可能とするストロークセンサを提供することを目的とするものである。
【課題を解決するための手段】
【０００６】
本発明は前述した課題を解決するため、請求項１では、被検出体の移動に伴い移動するシャフトに設けた磁石の移動量を検出するストロークセンサにおいて、一端部側の端部に前記被検出体が接触し、他端側に前記磁石が配置された前記シャフトと、前記シャフトの長手方向に沿い前記シャフトを前記被検出体側へと付勢する弾性部材と、前記シャフトの一端部側と前記弾性部材とを収容する径大筒状部および前記磁石を含む前記シャフトの他端部を軸支する径小筒状部とからなる第一ケース体と、前記シャフトと前記弾性部材と前記第一ケース体と、を少なくとも備えた第一ユニットと、前記磁石の磁界を検出し前記シャフトの変位量に応じた電気信号を出力する磁気検出素子と、前記磁気検出素子を実装する回路基板と、前記電気信号を外部へと伝達する前記回路基板から引き出された電気コードと、前記径小筒状部が挿通される挿通部を有し、前記磁気検出素子と前記回路基板および前記電気コードの一部を収容する第二ケース体と、前記磁気検出素子と前記回路基板と前記電気コードと前記第二ケース体と、を少なくとも備えた第二ユニットと、を備え、前記第一ケース体の前記径小筒状部に前記第二ケース体の前記挿通部を挿通して所定箇所に組み込んだ後、前記径小筒状部の突出部分に固定部材を介して締結保持（ねじによる螺着、バヨネット結合による締結など）し、前記第一ユニットに対し前記第二ユニットを固定保持してなることを特徴とするストロークセンサである。このように構成することにより、第一ユニットに対して第二ユニットを固定保持するに際し、第一ケース体の径小筒状部に第二ケース体の前記挿通部を挿通して所定箇所に組み込んだ後、径小筒状部の突出部分に固定部材を介して締結保持するものであるため、電気コードの引き回し方向を予め任意に選択した方向に揃えた状態にて第二ケース体を固定することができる。
【０００７】
また請求項２では、請求項１に記載のストロークセンサにおいて、前記第一、第二ケース体に前記第一ユニットに対する前記第二ユニットの配設位置を定める第一、第二位置決め部を設けたことを特徴とするものである。このように構成することにより、各位置決め部を任意に合わせてセットすることによって電気コードの引き回し方向の向きを定めることができるとともに、一旦セットした向きにおいて、固定部材を介して第一ケース体を含む第一ユニットに対して第二ケース体を締め付け固定することができるものであり、この際、第二ケース体は固定部材の締結時において連れ周りすることもなく所定の向きから懸け離れた向きへと変動することなく固定保持することができる。
【０００８】
また請求項３では、請求項１に記載のストロークセンサにおいて、前記第一ケース体に設けられた前記径小筒状部の突出部分の外周面に螺子部を設け、前記螺子部に螺着される前記固定部材を締結ナットにより形成してなることを特徴とするものである。このように構成することにより、簡単に固定部材である締結ナットを第二ケース体に対して第一ケース体に設けられた径小筒状部の突出部分の外周面に設けられた螺子部に回し締めすることによって両者（第一ケース体と第二ケース体）を固定保持することができるものであり、従来のように複数個のボルトをストロークセンサに設けられたボルト挿通孔に挿入してそれぞれ回し締め固定するといった煩わしい作業を解消することができる。
【０００９】
また請求項４では、請求項１に記載のストロークセンサにおいて、前記ストロークセンサを取付部材に固定保持するに際し、前記第一ケース体の径大筒状部には、前記取付部材に設けた雌ねじ部からなる螺着部に螺着する雄ねじ部を設けるとともに、前記雄ねじ部位置より前記第二ケース体側に前記雄ねじ部の外径より径大な固定用ボルト部からなる締結用固定部を設けてなることを特徴とするものである。このように構成することにより、ストロークセンサを取付部材に固定する場合、第一ケース体を含む第一ユニットを取付部材に取付保持する際に、第一ユニットに設けられた第一ケース体の雄ねじ部を取付部材に設けた雌ねじ部からなる螺着部に螺合することにより、簡単にセットすることができる。この際、雄ねじ部の外径より径大な締結ボルト部（締結用固定部）を工具により回し締め固定することができるものであり、組み付け作業も良好に行うことができる。
【発明の効果】
【００１０】
本発明では、被検出体の移動に伴い移動するシャフトに設けた磁石の移動量を検出するストロークセンサにおいて、一端部側の端部に前記被検出体が接触し、他端側に前記磁石が配置された前記シャフトと、前記シャフトの長手方向に沿い前記シャフトを前記被検出体側へと付勢する弾性部材と、前記シャフトの一端部側と前記弾性部材とを収容する径大筒状部と、前記磁石を含む前記シャフトの他端部を挿入配置する径小筒状部とからなる第一ケース体と、前記シャフトと前記弾性部材と前記第一ケース体と、を少なくとも備えた第一ユニットと、前記磁石の磁界を検出し前記シャフトの変位量に応じた電気信号を出力する磁気検出素子と、前記磁気検出素子を実装する回路基板と、前記電気信号を外部へと伝達する前記回路基板から引き出された電気コードと、前記径小筒状部が挿通される挿通部を有し、前記磁気検出素子と前記回路基板および前記電気コードの一部を収容する第二ケース体と、前記磁気検出素子と前記回路基板と前記電気コードと前記第二ケース体と、を少なくとも備えた第二ユニットと、を備え、前記第一ケース体の前記径小筒状部に前記第二ケース体の前記挿通部を挿通して所定箇所に組み込んだ後、前記径小筒状部の突出部分に固定部材を介して締結保持（ねじによる螺着、バヨネット結合による締結）し、前記第一ユニットに対し前記第二ユニットを固定保持してなることを特徴とするストロークセンサである。このように構成することにより、第一ユニットに対して第二ユニットを固定保持するに際し、第一ケース体の径小筒状部に第二ケース体の前記挿通部を挿通して所定箇所に組み込んだ後、径小筒状部の突出部分に固定部材を介して締結保持するものであるため、電気コードの引き回し方向を予め任意に選択した方向に揃えた状態にて第二ケース体を固定することができるものであり、所期の目的を達成することができ、配線コードの引き回しを容易にし、小型化を可能とするストロークセンサを提供することができる。
【図面の簡単な説明】
【００１１】
【図１】本発明の第１の実施形態を示すストロークセンサを取付部材に取り付けた状態を示した断面図。
【図２】同実施形態のストロークセンサを示す全体の断面図。
【図３】図２における充填剤が未充填の状態を示すストロークセンサの平面図。
【図４】同実施形態の第一ユニットの断面図。
【図５】同実施形態の第二ユニットの断面図。
【図６】図１における組み付け前を示すストロークセンサと取付部材の断面図。
【図７】本発明の他の実施形態である第一ユニットと第二ユニットを示す断面図。
【発明を実施するための形態】
【００１２】
以下に、本発明の実施形態を添付図面に基づいて説明する。
【００１３】
本発明の実施形態のストロークセンサ１は、第一ユニットＵ１と、この第一ユニットＵ１に組み付けられる第二ユニットＵ２の２つのユニットから構成されている。なお、Ｌ１は、ストロークセンサ１の後述するシャフト３および磁石２がその長手方向に沿って移動する軸を示すものである。
【００１４】
第一ユニットＵ１は、一端側の端部に被検出体が接触し、他端側に磁石２が配置されたシャフト３と、シャフト３の長手方向に沿いシャフト３を被検出体側へと付勢する弾性部材であるコイルスプリング４と、シャフト３の一端部側とコイルスプリング４とを収容する径大筒状部５および磁石２を含むシャフト３の他端部を挿入配置する径小筒状部６とからなる第一ケース体７と、によって構成されている。
【００１５】
磁石２は、円柱形状に形成され、Ｎｄ−Ｆｅ−Ｂ系永久磁石やＳｍＣｏ磁石といった磁石からなり、着時方向は、磁極が軸Ｌ１方向に着磁されている。なお、着時方向は、磁極が軸Ｌ１方向に対して、垂直方向に着磁されたものでもよい。
【００１６】
シャフト３は、ステンレス鋼やクロムモリブデン鋼等から形成されており、図示しない被検出体と接触し、シャフト３の長手方向（軸Ｌ１）に沿って移動するものである。なお、後処理可能な材料を用いる場合、耐摩耗性向上手段として焼入れ処理や窒化処理を行ったものが良く、また防錆やすべりを良くするために、めっき等の表面処理が施されているものが良い。
【００１７】
シャフト３は、円柱形であり、その後端（図２中右側） の空洞部３ａで磁石２を接着や加締め等の手段によって固定している。空洞部３ａを含むシャフト３の後端側は、径小筒状部６に設けた収納部６ａ内に配置される。
【００１８】
シャフト３は、その中央部より先端側に、ストッパ部となる径大部３ｂを備えている。この径大部３ｂは、第一ケース体７の一部を構成する径大筒状部５に設けられた第一軸受部５ａの内径より大きく、コイルスプリング４と当接する受け部を兼ねている。
【００１９】
また、シャフト３は、径大部３ｂよりシャフト３の先端側の径小部３ｃが、径大筒状部５の第一軸受部５ａによって移動可能に支持されており、径大部３ｂの後側の径中部３ｄが、径大筒状部５の後端部側に配置される第二軸受部８によって移動可能に支持されている。なお、本実施形態では、シャフト３の径小部３ｃ、径中部３ｄ、径大部３ｂの直径は、径小部３ｃ＜径中部３ｄ＜径大部３ｂである。
【００２０】
シャフト３は、径大筒状部５に設けた第一軸受部５ａと、径大筒状部５の第一収納部５ｃに圧入設置される第二軸受部８である２つの軸受部（第一軸受部５ａと第二軸受部８）内を直線運動することで、軸Ｌ１に沿ってストローク（往復移動）することができるように設けられている。この際、第二軸受部８の内径を第一軸受部５ａの内径よりも小さくした場合、第二軸受部８を支点とした円弧の軌跡となるため、磁石２の軸Ｌ１方向以外のブレを、第一軸受部５ａを支点とした場合よりも抑えることができ、結果的に良好な出力特性を得ることができる。
【００２１】
コイルスプリング４は、たとえば、バネ用ステンレス材等からなり、シャフト３の径中部３ｄの周囲に配置され、径大筒状部５の第一収納部５ｃ内に収納されている。
【００２２】
また、コイルスプリング４は、シャフト３の径大部３ｂを、径大筒状部５の当接部５ｂに当て、初期位置を定める役割を果たし、さらに、前記被検出体とシャフト３が接触した際、常時、被検出体を弾発付勢して押し付けるため、振動等によるストローク量の変位を抑えることができるように設けている。
【００２３】
コイルスプリング４は、径大筒状部５の取付部５ｇの内周部、つまり、第一収納部５ｃに収納されるため、一般的に想定されるシャフト３ の後端に配置するよりも、ストロークセンサ１のシャフト３の軸Ｌ１方向の小型化を図ることができ、更に、ストロークセンサ１が、組付けられた時、径大筒状部５の取付部５ｇの内部に配置されるので、ストロークセンサ１の取付け面からの突出（飛出し）量を少なくすることが可能となる。
【００２４】
第二軸受部８は、真鍮やステンレス鋼等からなり、環状をしている。また、第二軸受部８は、直径の異なる径大部８ａと径小部８ｂで構成されている。径小部８ｂは、第一ケース体７の一部を構成する径大筒状部５の第一収納部５ｃに圧入保持され、第二軸受部８を貫通する孔である内径部分が、軸受機構となっており、シャフト３をストローク（往復移動）可能に支持する。なお、内径部分は滑りを良くするために、メッキや樹脂コーティング等の摺動性が向上する表面処理が施されている。
【００２５】
また、第二軸受部８は、コイルスプリング４の弾性により、シャフト３を前方へ常時付勢するように、径小部８ｂの端部をコイルスプリング４のスプリング受部として設け、コイルスプリング４と当接し、コイルスプリング４の付勢を受けるように構成している。
【００２６】
また第１ケース体７の一部を構成する径大筒状部５は、非磁性の金属、例えば、ステンレス鋼等からなり、主に第一収納部５ｃと第二収納部５ｄを備えている。
【００２７】
第一収納部５ｃは、底部となる第一軸受部５ａを備えた円筒状であり、シャフト３とコイルスプリング４とを収納する。そして、シャフト３とコイルスプリング４とを保持するために、第二軸受部８が、抜け止めとして第一収納部５ｃに圧入される。第一収納部５ｃは、その前端に第一軸受部５ａを備え、この第一軸受部５ａが、シャフト３の径小部３ｃの軸受となっている。また、第一軸受部５ａの第一収納部５ｃに臨む面が、コイルスプリング４を介してシャフト３の径大部３ｂと当設する当接部５ｂとなっており、シャフト３のストッパ部である径大部３ｂと当接し、シャフト３の移動を規制する役割を果たしている。
【００２８】
第一ケース体７の一部を構成する径大筒状部５の第二収納部５ｄは、底部５ｅを備えた略円筒状であり、第一収納部５ｃと連続して設けられ、径小筒状部６の収納部６ａの端部側に設けられた当接部６ｂを収納するように設けられている。この際、第二収納部５ｄの底部５ｅが、第二軸受部８の径大部８ａと当設し、第二軸受部８の径大部８ａの対向面と径小筒状部６の当接部６ｂとを当接することで、第二収納部５ｄに対し、径小筒状部６が所定の位置に位置決めされながら径小筒状部６の当接部６ｂの外周部分が第二収納部５ｄ内に収納保持されるとともに、第二収納部５ｄの開口端に設けられた加締め部５ｆにより、径小筒状部６の当接部６ｂの外周部分が加締め固定される。なお、第二収納部５ｄの底部５ｅにシール部材９を装着し、径小筒状部６の当接部６ｂの外周部分に対して加締め部５ｆによって塑性変形させて押圧挟持することで第１ケース体７の摺動部の気密を確保することができるように設けられている。
【００２９】
本実施形態におけるシール部材９は、二トリルゴム、シリコンゴム、フッ素ゴムといった合成ゴムからなり、径大筒状部５の底部５ｅの内側と径小筒状部６の当接部６ｂとの間に配置され、径大筒状部５と径小筒状部６とで押圧保持される。このシール部材９によって（ストロークセンサ１の外部から内部、もしくはストロークセンサ１の内部から外部への）、シャフト３と径大筒状部５の第一軸受部５ａとの間からストロークセンサ１内部に侵入した油や水などの液体が、径大筒状部５と径小筒状部６との間を通って、通り抜けていくことを防止し、気密性を確保することができる。
【００３０】
また本実施形態においては、第一ケース体７自体を径大筒状部５と径小筒状部６とに二分割に区分けして形成し、各筒状部５，６を組み込むように構成して第一ユニットＵ１を構成することで、磁石２のサイズが第一ケース体７の第一軸受部５ａの内径より大きな寸法のものを採用することができるため、耐外部磁場性を向上させることができ、また位置ズレによる特性影響の低減を図ることができる。
【００３１】
また本実施形態では、第一ケース体７には、前記被検出体を検出するために組み付け固定するための雄ねじからなる取付部５ｇが径大筒状部５に設けられている。この取付部５ｇは、径大筒状部５の少なくとも第一軸受部５ａと第二軸受部８との間に対応する部分に設けられており、第一収納部５ｃの外周面に設けられている。なお、雄ねじ部からなる取付部５ｇは、ストロークセンサ１の第一ユニットＵ１側に設けられ、この第一ユニットＵ１を被検出体が設けられた取付部材１０の雌ねじ部からなる螺着部１０ａに螺着（回し締め固定）するように設けられている。
【００３２】
また、取付部材１０の雌ねじ部からなる螺着部１０ａに対してストロークセンサ１の第一ケース体７側を締結固定（回し締め固定）するために、第一ユニットＵ１を構成する径大筒状部５の第二収納部５ｄの外周壁箇所には、固定用ボルト部からなる締結用固定部５ｈが設けられている。この締結用固定部５ｈによって治具（工具）にて第一ユニットＵ１を簡単に回し締めすることができ、取付部材１０に設けられた雌ねじ部からなる螺着部１０ａに対してストロークセンサ１のケース体７に設けた雄ねじからなる取付部５ｇを良好にして簡単に締め付け固定することができるように設けられている。
【００３３】
径小筒状部６は真鍮やステンレスといった非磁性の金属もしくはポリブチレンテレフタレートといった熱可塑性樹脂材料からなり、主に円形の収納部６ａを構成する筒状部６ｃと、その筒状部６ｃの先端部箇所に設けられた雄ねじ部からなる螺合部６ｄを備えている。なお、螺合部６ｄの外径は筒状部６ｃの外径寸法より径小に形成されており、螺合部６ｄと筒状部６ｃとの境目に段部６ｅが形成されている。
【００３４】
径小筒状部６は、収納部６ａの開口端部側に設けられた当接部６ｂが第二軸受部８の当接部８ｆに突き当て配置され、径大筒状部５の加締め部５ｆにより、径小筒状部６の当接部６ｂの外周部分が加締め固定され、径小筒状部６に設けられた収納部６ａ内を、磁石２を保持したシャフト３が往復移動するように設けられている。
【００３５】
ところで、第一ユニットＵ１に組み付けられる第二ユニットＵ２は、磁石２の磁界を検出しシャフト３の変位量に応じた電気信号を出力する磁気検出素子１１ａが組み付けられた磁気検出パッケージ１１と、磁気検出パッケージ１１（磁気検出素子１１ａ）を実装する回路基板１２と、入出力を外部へと伝達する回路基板１２から引き出された電気コード１３と、第一ユニットＵ１の径小筒状部６が挿通される挿通部１４ａを有し、磁気検出パッケージ１１（磁気検出素子１１ａ）と回路基板１２および電気コード１３の一部を収容する第二ケース体１４と、充填剤１５とから構成されている。
【００３６】
磁気検出パッケージ１１は、ホールＩＣやＭＲ素子等の図示しない磁気検出素子１１ａを合成樹脂で覆ったものである。また、磁気検出パッケージ１１の平面１１ｂが、シャフト３の軸Ｌ１に対して並行な配置であり、磁気検出パッケージ１１の平面１１ｂが、磁石２の外周端面２ａに対向するように配置され、シャフト３のストローク運動（往復運動）とともにストローク（往復移動）する磁石２の動きに応じて変化する磁界の強さを検出している。なお、磁石２と磁気検出パッケージ１１の距離を可能な限り小さくすることで、十分な磁束を確保することができ、外部磁界や磁石２の位置ズレといった出力変化に起因する影響を小さくすることができる。
【００３７】
磁気検出パッケージ１１は、回路基板１２に設けられており、磁気検出パッケージ１１に内蔵された磁気検出素子１１ａは、図示しないリードを介して回路基板１２と電気的に接続され、シャフト３のストローク運動（往復移動）とともに移動する磁石２の動きに応じて変化する磁界の強さを検出し、この検出した結果を検出信号に変換し、この検出信号を回路基板１２と電気的に接続された電気コード１３を通じて（アナログやＰＷＭといった出力形式で）外部に出力するものである。
【００３８】
回路基板１２は、たとえば、ガラスエポキシ樹脂などの硬質な絶縁体からなる硬質回路基板からなり、第二ケース体１４の収納部１４ｂ内に収納固定される。
【００３９】
回路基板１２には、磁気検出パッケージ１１の他に図示しないコンデンサ等の各種電子部品が実装されている。
【００４０】
回路基板１２には、電気コード１３を取り付ける図示しない貫通する孔が設けられ、図示しない半田によって電気コード１３と図示しない回路基板１２上に設けられた配線パターンとを電気的に接続している。
【００４１】
第二ケース体１４は、ポリブチレンテレフタレート等の熱可塑性樹脂材料からなり、主に、挿通部１４ａと収納部１４ｂを備えている。
【００４２】
第二ケース体１４の挿通部１４ａは、収納部１４ｂ内に位置しており、挿通部１４ａと収納部１４ｂとは、互いに連通しないように筒状の仕切り部１４ｃで区切られており、収納部１４ｂには、仕切り部１４ｃと連続して収納部１４ｂの底部１４ｄが設けられ、有底の円筒形状を成している。この仕切り部１４ｃを間に挟んで磁気検出パッケージ１１と磁石２とが対向するように設けられている。
【００４３】
本実施形態では、挿通部１４ａ、収納部１４ｂおよび仕切り部１４ｃは、一体に形成されており、挿通部１４ａには、径小筒状部６の筒状部６ｃが挿入される開口１４ｅと、筒状部６ｃの先端側に設けられた螺合部６ｄが挿通される開口１４ｆとが設けられ、螺合部６ｄが挿通される開口１４ｆの周縁には径小筒状部６の螺合部６ｄと筒状部６ｃとの境目に設けられた段部６ｅ箇所を位置決めする受け面１４ｇが設けられており、挿通部１４ａの開口１４ｅが、第一ケース体７側に向いており、シャフト３を収納する第一ユニットＵ１の径小筒状部６が挿入されるように設けられている。
【００４４】
また収納部１４ｂには、挿通部１４ａの開口１４ｅとは互いに反対の位置、すなわち受け面１４ｇを有する開口１４ｆ側に開口１４ｈが設けられ、この開口１４ｈを介して収納部１４ｂ内に磁気検出パッケージ１１、回路基板１２および電気コード１３が収納固定されるように設けられている。
【００４５】
収納部１４ｂ 内は、充填材１５によって満たされている。この充填材１５は、エポキシやシリコーン等の液体から固体へと硬化する樹脂からなり、たとえば、ＵＶ硬化型あるいは熱硬化型樹脂などであり、磁気検出パッケージ１１ と回路基板１２および電気コード１３の一部が、収納部１４ｂ 内において気密的に収納保持されるようになっており、このように第二ケース体１４に各部品を組み付けることによって第二ユニットＵ２として予めユニット化されて組み立てられる。
【００４６】
なお、第二ユニットＵ２を第一ユニットＵ１に組付ける際において、径小筒状部６の筒状部６ｃに第二ユニットＵ２の第二ケース体１４の挿通部１４ａをセットした後に、筒状部６ｃの先端側に設けられた螺合部６ｄに固定部材１６である締結ナットによって締結保持することにより、第一ユニットＵ１に第二ユニットＵ２が固定保持される。
【００４７】
このように構成された本実施形態においては、第一ユニットＵ１に対して第二ユニットＵ２を固定保持するに際し、第一ケース体７の径小筒状部６に第二ケース体１４の挿通部１４ａを挿通して所定箇所に組み込んだ後、径小筒状部６の筒状部６ｃ先端側に設けられた螺合部６ｄに締結ナットからなる固定部材１６によって締結保持することにより、第一ユニットＵ１に第二ユニットＵ２を簡単に固定保持することができる。この際、電気コード１３の引き回し方向を予め任意に選択した方向に揃えた状態にて第二ケース体１４の向きを定めつつ、固定部材１６によって締結保持することにより電気コード１３の引き回し方向を簡単に引き出し案内することができる。
【００４８】
ストロークセンサ１を取付部材１０に固定保持するに際し、第一ケース体７の径大筒状部５には、取付部材１０に設けた雌ねじ部からなる螺着部１０ａに螺着する雄ねじ部からなる取付部５ｇを設けるとともに、取付部５ｇ位置より第二ケース体１４側に取付部５ｇの外径よりも径大な固定用ボルト部からなる締結用固定部５ｈを設けてなることにより、第一ケース体７を含む第一ユニットＵ１を取付部材１０に取付保持する際に、第一ユニットＵ１に設けられた第一ケース体７の雄ねじ部からなる取付部５ｇを取付部材１０に設けた雌ねじ部からなる螺着部１０ａに螺合することにより、簡単にセットすることができる。この際、締結用固定部５ｈを工具により第一ユニットＵ１を簡単に回し締め固定することができるものであり、組み付け作業も良好に行うことができる。
【００４９】
また図７は、本発明のストロークセンサ１の他の実施形態を示すもので、ストロークセンサ１の小型化や部品コストを低減するために、第一ケース体７０を構成する径大筒状部５０と径小筒状部６０とを一体に形成したものであり、この場合、径大筒状部５０の収納部５０ｃと径小筒状部６０の収納部６０ａとを一体形成することにより、第一ケース体７０の内部を完全密封することができるので、シール部材９も不要となり、コストメリットを見出すことができる。ただし、前方からシャフト３およびコイルスプリング４を組み込むため、径大筒状部５０の前端部に抜け止め防止用のリング状座金１７を設け、抜け止め防止用の加締め部５１にてリング状座金１７を抜け止め保持するように構成している。
【００５０】
このように構成することにより、気密性を高めることができるともに部品点数の削減を図ることができ、コストの削減に寄与することができる。
【００５１】
また本実施形態では、第一ケース体７０、第二ケース体１４０とに第一ユニットＵ１に対する第二ユニットＵ２の配設位置を定める第一位置決め部７０ａと、第二位置決め部１４０ａとを複数設けて構成している。この実施形態においては、各位置決め部７０ａ，１４０ａとを複数の凹凸による嵌め合わせの位置設定により、電気コード１３の引き回し方向を任意に設定することができるように設けている。このように構成することにより、各位置決め部７０ａ，１４０ａを任意に合わせてセットすることによって電気コード１３の引き回し方向の向きを定めることができるとともに、一端セットした向きにおいて、固定部材１６である締結ナットを介して第一ケース体７０を含む第一ユニットＵ１に対して第二ケース体１４０を締め付け固定することができるものであり、この際、第二ケース体１４０は固定部材１６の締結時において連れ周りすることもなく所定の向きから懸け離れた向きへと変動することなく固定保持することができる。
【００５２】
なお本発明は、前記実施形態に限定されるものではなく本発明の要旨の範囲内において種々の変形実施が可能であり、たとえば各実施形態においては、第一ユニットＵ１と第二ユニットＵ２とを固定保持（締結保持）するために締結ナット（六角ナット）からなる固定部材１６を用いて螺着固定するようにしていたが、締結保持する他の手段として、例えばバヨネット結合によって締結保持するようにしても良いものであり、また圧入などの手段によって締結保持するようにしても良いものであり、場合によっては、振動、衝撃等が発生しても、緩んでしまうことを低減するために接着剤を塗布するようにしても良いものである。
【産業上の利用可能性】
【００５３】
被検出体の移動に伴い移動するシャフトに設けた磁石の移動量を検出するストロークセンサに利用可能である。
【符号の説明】
【００５４】
１    ストロークセンサ
２    磁石
２ａ  外周端面
３    シャフト
３ａ    空洞部
３ｂ    径大部
３ｃ    径小部
３ｄ    径中部
４    コイルスプリング（弾性部材）
５    径大筒状部
５ａ    第一軸受部
５ｂ    当接部
５ｃ    第一収納部
５ｄ    第二収納部
５ｅ    底部
５ｆ    加締め部
５ｇ    取付部（雄ねじ部）
５ｈ    締結用固定部（固定用ボルト部）
６    径小筒状部
６ａ    収納部
６ｂ    当接部
６ｃ    筒状部
６ｄ    螺合部（雄ねじ部）
６ｅ    段部
７    第一ケース体
８    第二軸受部
８ａ    径大部
８ｂ    径小部
９    シール部材
１０    取付部材
１０ａ    螺着部
１１    磁気検出パッケージ
１１ａ    磁気検出素子
１１ｂ    平面
１２    回路基板
１３    電気コード
１４    第二ケース体
１４ａ    挿通部
１４ｂ    収納部
１４ｃ    仕切り部
１４ｄ    底部
１４ｅ    開口
１４ｆ    開口
１４ｇ    受け面
１４ｈ    開口
１５    充填材
１６    固定部材（締結ナット）
１７    リング状座金
５０    径大筒状部
５０ｃ    収納部
５１    加締め部
６０    径小筒状部
６０ａ    収納部
７０    第一ケース体
７０ａ    第一位置決め部
１４０    第二ケース体
１４０ａ    第二位置決め部
Ｌ１    軸
Ｕ１    第一ユニット
Ｕ２    第二ユニット
【図１】
2014149188.tif 000003
【図２】
2014149188.tif 000004
【図３】
2014149188.tif 000005
【図４】
2014149188.tif 000006
【図５】
2014149188.tif 000007
【図６】
2014149188.tif 000008
【図７】
2014149188.tif 000009